(57)【特許請求の範囲】
【請求項１】
使い捨ておむつの前身頃に後身頃を止着すべく、該後身頃の左右側端部に固着されたファスニングテープであって、
該ファスニングテープは、前記側端部に貼着される幅広のテープ基端部と、前記側端部から側方へ突出するとともに止着部としての面ファスナーを有する幅狭のテープ先端部とからなる略Ｔ字形状の不織布をテープ基材とし、
前記テープ基端部には、該テープ基端部の厚みを厚くすべく幅方向に亘りシート状の補強材が貼着されており、
前記テープ基端部の皺の前記前身頃への伝達を遮断すべく、前記補強材は、弾力性素材からなるとともに、前記テープ基端部の着用者側の面に貼着されていることを特徴とする使い捨ておむつ用ファスニングテープ。
【請求項２】
前記テープ基材の外形形状が、動物形状であることを特徴とする請求項１に記載の使い捨ておむつ用ファスニングテープ。
【請求項３】
前記テープ先端部の先端の摘み部には、該摘み部の厚みを厚くすべくシート部材が貼着されていることを特徴とする請求項１若しくは２のいずれかに記載の使い捨ておむつ用ファスニングテープ。
【請求項４】
前記シート部材は、前記テープ基材および前記後身頃側端部のいずれとも色違いに着色されていることを特徴とする請求項３に記載の使い捨ておむつ用ファスニングテープ。
【発明の詳細な説明】
【０００１】
【発明の属する技術分野】
本発明は、使い捨ておむつ用ファスニングテープに関する。
【０００２】
【従来の技術】
展開型の使い捨ておむつは、図１０に展開して示すように、透液性のトップシート３と不透液性のバックシート５と、これらの間に介装される保液性の吸収体４とが積層されてなる略三層構造のおむつ本体１からなる。そして、このおむつ本体１は、大まかには、着用者が装着した際に当該着用者の腹部にあてがわれる前身頃１１と、背部にあてがわれる後身頃１３と、前身頃１１と後身頃１３との間に位置して股間部にあてがわれる股下部１２とに大別される。このうち前身頃１１および後身頃１３は、その両側端から各側方へ延出する左右一対のサイドフラップ１４，１５をそれぞれに備え、これらは主に着用者のウエストの脇部にあてがわれる。
【０００３】
このような使い捨ておむつの着用者への装着は以下のようにしてなされる（図１１を参照）。
▲１▼先ず、前記おむつ本体１の前身頃１１等のそれぞれの部分を、着用者（図示無し）の身体の腹部等といった各対応部位にあてがう。
▲２▼次ぎに、前身頃１１の左右のサイドトラップ１４を、着用者のウエストの脇部にあてがう。
▲３▼そして、この前身頃１１の左右のサイドフラップ１４を上から覆うようにして、後身頃１３の左右のサイドフラップ１５を前記脇部にあてがいつつ、このサイドフラップ１５の側端部１５ａを腹部側へ回り込ませる。
▲４▼最後に、前記側端部１５ａのトップシート３面を前記前身頃１１のバックシート５面に止着する。
【０００４】
図１２（ａ）にこの止着の様子を、すなわち図１１のXIIａ部を拡大して示すとともに、図１２（ｂ）に図１２（ａ）中のＢ−Ｂ線矢視の断面図を示す。図１２（ａ）に示すように、この止着は、前記サイドフラップ側端部１５ａに固着されてこれより側方へ突出するファスニングテープ３０と、前身頃１１のバックシート５面に貼着されたターゲットテープ１９とを係合させて行っている。
【０００５】
このファスニングテープ３０は不織布をテープ基材３５とし、このテープ基材３５は、前記サイドフラップ側端部１５ａに貼着されるテープ基端部３１と、面ファスナー３７が貼着されて止着部として機能するテープ先端部３３と、このテープ先端部３３先端の摘み部３９とからなる。このテープ基材３５形状は、以前は矩形の帯形状が多かったが、最近ではサイドフラップ１５との貼着面積をかせぐべく、前記テープ基端部３１が、前記テープ先端部３３よりも広幅に形成された略Ｔ字形状のものが主流となっている。
【０００６】
【発明が解決しようとする課題】
しかし、この略Ｔ字形状不織布のテープ基材３５を用いたファスニングテープ３０には、以下に示す問題点がある。
【０００７】
▲１▼このファスニングテープ３０は一般に着用者１００のウエスト部分に位置するため、着用者１００が座ったりお辞儀動作等して腰を曲げる度に屈曲し、図１２（ａ）、図１２（ｂ）に示すような水平方向の皺３６が寄る。特に、前記テープ基端部３１は上下方向に広幅であるため、また面ファスナー３７のような高剛性部材が直に貼着されていないため、この種の皺３６が寄りやすい。一方、このテープ基材３５の不織布は腰があって、一旦寄った皺３６の剛性は意外に高くて潰れ難い。このため、図１２（ｂ）に示すように、この皺３６が、その着用者１００側にある前記前身頃１１を介して着用者１００の肌１００ａに強く当たり着用者１００に不快感を与える虞があった。
【０００８】
▲２▼また、図１２（ｂ）に示すように、前記皺３６に起因して、テープ基端部３１が貼着されたサイドフラップ側端部１５ａと前身頃１１との間に隙間３８が生じる一方、この前身頃１１とこれが接触する前記肌１００ａとの間にも隙間３８が生じる結果、これらの密着性が悪くなり尿等の漏出を誘発する虞があった。
【０００９】
▲３▼図１１に示すように、前記ターゲットテープ１９にファスニングテープ３０を止着する際には、着用者のウエスト部分をサイドフラップ１５にて若干締めるようにすべく、前記ファスニングテープ３０の摘み部３９をつまんでこれを引っ張ることによりサイドフラップ１５に張力を付与しながら止着している。そして、この張力によりウエスト部分に対するおむつの前記密着性を高めている。しかし、図１２（ａ）に示すように、この摘み部３９は、前記不織布のテープ基材３５自身であり、その坪量は通常１０〜１００ｇ／ｍ２であるため、前記摘み部３９の厚みは薄くとても摘まみ難い。よって、指の力が弱い人等は、摘み部３９を引っ張って前記サイドフラップ１５に張力をかける際に、指が摘み部３９から滑って外れ易く、結果前記密着性を高められない場合があった。
【００１０】
本発明はかかる従来の課題に鑑みて成されたもので、後身頃側端部に貼着された不織布製ファスニングテープ基端部の皺に起因した、おむつ装着時の不快感および漏れの誘発を抑えることが可能な使い捨ておむつ用ファスニングテープを提供することを目的とする。
【００１１】
【課題を解決するための手段】
かかる目的を達成するために請求項１に示す発明は、使い捨ておむつの前身頃に後身頃を止着すべく、該後身頃の左右側端部に固着されたファスニングテープであって、該ファスニングテープは、前記側端部に貼着される幅広のテープ基端部と、前記側端部から側方へ突出するとともに止着部としての面ファスナーを有する幅狭のテープ先端部とからなる略Ｔ字形状の不織布をテープ基材とし、前記テープ基端部には、該テープ基端部の厚みを厚くすべく幅方向に亘りシート状の補強材が貼着されており、
前記テープ基端部の皺の前記前身頃への伝達を遮断すべく、前記補強材は、弾力性素材からなるとともに、前記テープ基端部の着用者側の面に貼着されていることを特徴とする。
【００１２】
請求項２に示す発明は、請求項１に記載の使い捨ておむつ用ファスニングテープにおいて、前記テープ基材の外形形状が、動物形状であることを特徴とする。
【００１３】
請求項３に示す発明は、請求項１若しくは２のいずれかに記載の使い捨ておむつ用ファスニングテープにおいて、前記テープ先端部の先端の摘み部には、該摘み部の厚みを厚くすべくシート部材が貼着されていることを特徴とする。
【００１４】
請求項４に示す発明は、請求項３に記載の使い捨ておむつ用ファスニングテープにおいて、前記シート部材は、前記テープ基材および前記後身頃側端部のいずれとも色違いに着色されていることを特徴とする。
【００１８】
【発明の実施の形態】
以下、本発明に係る一実施形態を添付図面を参照して詳細に説明する。
図１１に示すように、おむつの装着状態にあっては、後身頃１３のサイドフラップ１５は、前身頃１１のサイドフラップ１４を覆う一方、前記サイドフラップ１５の側端部１５ａは、当該側端部１５ａに固着されたファスニングテープ４０によって、前身頃１１のターゲットテープ１９に止着されている。
この止着状態におけるファスニングテープ、すなわち図１１のIａ部を拡大して図１（ａ）に、また図１（ｂ）に、図１中のＢ−Ｂ線矢視の断面図を示す。
【００１９】
このファスニングテープ４０は、前記後身頃１３のサイドフラップ１５側端部１５ａにおけるトップシート３とバックシート５との間に介装されて前記シート３，５の少なくともいずれかに貼着される幅広矩形状のテープ基端部４１と、前記側端部１５ａから側方へ突出する幅狭矩形状のテープ先端部４３とからなる略Ｔ字形状不織布をテープ基材４５とする。この不織布には、スパンボンド不織布、サーマルボンド不織布、メルトブローン不織布およびスパンレース不織布等が使用され、この不織布を構成する繊維としては、ポリエチレン（ＰＥ）やポリプロピレン（ＰＰ）等のオレフィン系繊維、ポリエステル系繊維等が用いられる。また、前記不織布の坪量は、通常１０〜１００ｇ／ｍ２の範囲である。
【００２０】
前記テープ先端部４３のターゲットテープ１９側の面には面ファスナー４７の雄材が貼着されて、この面ファスナー４７は前記前身頃１１のターゲットテープ１９と係合する止着部として機能する一方、テープ先端部４３における面ファスナー４７よりも先端の部分は、ファスニングテープ４０の止着脱の際に摘まむための摘み部４９として機能する。この面ファスナー４７の雄材は、多数のフックを表面に備えた一般的なものであり、前記ターゲットテープ１９としての面ファスナーの雌材若しくは不織布テープと係合するようになっている。この面ファスナー４７の素材は、ナイロン、ＰＥ、若しくはＰＰ等の樹脂素材であり、前記貼着はホットメルト型接着剤、ヒートシール、超音波シール等により行われる。
【００２１】
尚、以上説明してきた構成は、通常の使い捨ておむつ用ファスニングテープと概ね同様であり、以下にて説明する内容が本発明の特徴的事項である。
【００２２】
本発明にあっては、図１に示すように、前記テープ基端部４１には、その幅方向（紙面の上下方向）に亘って、所定厚みの帯状補強材４２が貼着されている。よって、図１（ｂ）に示すように、このテープ基端部４１は、前記補強材４２の分だけその実質厚みが厚くなっており、その曲げ剛性が高まる結果、前記皺が寄り難くなっている。したがって、テープ基端部４１には、その着用者１００側に位置する前記前身頃１１へ伝わる程大きな皺は発生せず、着用者１００の肌１００ａに触れる前記前身頃１１のトップシート３面は概ね平坦に維持されて極端に強く当たる部分はない。よって、前記装着時に着用者１００が感じる、前記皺に起因する不快感を抑制することができる。
【００２３】
また、この皺の抑制に伴ない、テープ基端部４１が貼着されたサイドフラップ側端部１５ａと前身頃１１との間の密着性、ひいてはこの前身頃１１とこれが接触する前記肌１００ａとの間の密着性も良好となり、尿等の漏出を抑制することができる。
【００２４】
尚、好ましくは、図１（ｂ）に示すように、この補強材４２を、前記テープ基端部４１の着用者１００側の面４１ａに貼着するとともに、その素材に弾力性素材を用いるのが良い。これは、図２に示すように、前記テープ基端部４１に万一皺３６が寄った場合であっても、当該皺３６は、テープ基端部４１の着用者側の面４１ａに貼着された前記補強材４２の弾性変形によって柔軟に吸収され、補強材４２における前記着用者側の面４２ｂは概ね平坦に保たれるからである。つまり、前記皺３６は、前記補強材４２にて遮断されるため前身頃１１へ伝達されることはなく、着用者１００のウエスト部分に作用する、前記皺３６に起因した局所的負荷は抑制される。
【００２５】
また、このように前記皺３６は前身頃１１へは伝達されないので、テープ基端部４１が貼着されたサイドフラップ側端部１５ａと前身頃１１との間の密着性、ひいてはこの前身頃１１とこれが接触する前記肌１００ａとの間の密着性は更に良好となり、尿等の漏出を確実に抑制することができる。
【００２６】
この弾力性素材としては、ウレタンゴム、エアレイド不織布、エアスルー不織布等が好適である。ウレタンゴムの厚みは１〜３ｍｍであるのが望ましく、更に望ましくは０．５ｋｇｆ／ｃｍ２ の押圧下にて１．８５ｍｍがであるのが良い。また、不織布の坪量は５０〜３００ｇ／ｍ２であるのが望ましい。
【００２７】
ところで、前記テープ先端部４３の摘み部４９は、その摘み部厚みを厚くすべくシート部材４８が貼着されているのが望ましく、本実施形態にあっては、図１（ａ）および図３に示すように、前記摘み部４９先端下面の幅方向に亘り、後記所定厚みのシート部材４８が貼着されている。そして、これによれば、前記摘み部４９は、シート部材４８の分だけ厚くなっているので、当該摘み部４９をしっかりと確実に指でつまむことができる。よって、前述したようにファスニングテープ４０をターゲットテープ１９に止着する際に、摘み部４９を引っ張っても、指が摘み部４９から滑って外れる虞はなく、もって前記サイドフラップ１５に適度な張力を付与しつつ前記止着を行うことができて、着用者１００のウエスト部分にサイドフラップ１５等を密着させることができる。
【００２８】
このシート部材４８としては、前述した理由から指が滑り難い素材が好ましく、例えば、ウレタンゴム、エアレイド不織布、エアスルー不織布等が使用できる。ウレタンゴムの厚みは１〜３ｍｍが、前記不織布の坪量は５０〜３００ｇ／ｍ２が好適である。前記貼着は、ホットメルト型接着剤等によって行うことができる。また、前記図示例では、このシート部材４８を摘み部４９の下面に貼着した例を示したが、摘み部４９が単に厚くなれば摘み易くなるため、摘み部４９の上面に貼着しても良い。
【００２９】
更に、この摘み部４９厚みを厚くした構成によれば、おむつを装着するために必要な装着準備作業も容易となる。通常、おむつはコンパクトに折り畳まれて販売されているため、これを着用者に装着するためには、折り畳まれた状態から、図１０に示す状態に展開しなければならない。この展開作業のひとつに、ファスニングテープの展開作業があるが、上記構成によればこの作業が楽になる。
【００３０】
図４（ａ）に、展開前たる使用前の従来のファスニングテープ３０の拡大平面図を示し、図４（ｂ）に図４（ａ）中のＢ−Ｂ線矢視の断面図を示す。図示の如く、使用前には、ファスニングテープ３０のテープ先端部３３は、サイドフラップ１５側端部１５ａのトップシート３面上に折り返されているとともに、当該テープ先端部３３が備える面ファスナー３７の雄材によって、前記トップシート３に剥離可能に仮止めされている。このファスニングテープを使用可能な状態にするには、図５に示すように、前記テープ先端部３３をトップシート３から剥がして展開しなければならない。
但し、図４（ｂ）に示すように、通常、前記仮止め状態における摘み部３９先端は、トップシート３面とほぼ面一になっていて段差が小さいために、指先を引っかけるきっかけをつかみ難く前記展開を行い難い。
【００３１】
ここで、本実施形態にあっては、前述したように、前記摘み部４９先端の下面にはシート部材４８が貼着されており、その先端は厚くなっている。よって、図６（ｂ）に示すように、前記仮止め状態におけるファスニングテープ４０の摘み部３９先端とトップシート３面との間には大きな段差がついているため、指先を引っかけ易く、前記展開の作業が容易になる。
【００３２】
尚、本実施形態では、このシート部材４８を、摘み部４９の下面に貼着した例を示したが、摘み部４９先端とトップシート３面との間に大きな段差がつけられれば良いため、前記シート部材４８を摘み部４９の上面に貼着しても良い。
【００３３】
更に、好ましくは、前記シート部材４８が、前記テープ基材４５および前記後身頃１３のサイドフラップ側端部１５ａのトップシート３面のいずれとも色違いに着色されていると良い。そして、これによれば、図６（ａ）に示す前記仮止め状態、すなわち前記トップシート３面上にテープ先端部４３が折り返されている状態において、前記摘み部４９の位置を著しく視認し易くなる。尚、視認し易さの観点からは、前記シート部材４８を、摘み部４９の上面に貼着するのが好ましいが、図示例のように摘み部４９の下面に貼着した場合であっても、テープ基材４５に白色等の淡色系の不織布を用いるとともに、シート部材４８を青色等の濃色系で着色すれば、摘み部４９を透かしてシート部材４８を視認することが可能である。
【００３４】
尚、ここでの前記着色の意味としては、摘み部４９であることを示す文字表記も含み、例えば、「ここを摘まんでください」という文字をシート部材４８に記載することも含む。
【００３５】
次ぎに、本実施形態のファスニングテープの製造方法について図７を参照して説明する。このファスニングテープ４０は、以下に示す工程からなる製造方法によって、切りくずを殆ど出すことなく高い歩留まりで量産される。尚、この方法は、図７（ａ）に示すように、上端縁６５ｃと下端縁６５ｄとが平行な一定幅の不織布の長尺帯をテープ基材６５として用いて、図７（ｄ）に示すように、当該テープ基材６５の上下のそれぞれの部分に、互いに鏡像形状のファスニングテープ４０を形成することができる方法である。
【００３６】
▲１▼ 面ファスナー貼着工程
図７（ａ）に示すように、長手方向に亘って一定幅を有する長尺状の不織布製テープ基材６５の幅中央の部分に、該テープ基材６５の長手方向に亘って、長尺状の面ファスナー６７の雄材を貼着する。尚、この貼着はホットメルト型接着剤、ヒートシール、超音波シール等を用いて行われる。
【００３７】
▲２▼補強材貼着工程
図７（ｂ）に示すように、前記テープ基材６５における、前記面ファスナー６７を挟む上下の部分に、前記上下端縁６５ｃ，６５ｄに沿って一対の長尺状の補強材６２を貼着する。この一対の補強材６２は、互いに同幅であるとともに、前記テープ基材６５における、前記幅中央の線６５ａに関する線対称の位置に貼着されるのが望ましく、このようにすれば、以降の工程を経て前記上下に形成されるファスニングテープ４０を完全な鏡像にすることができる。
【００３８】
また、一般に面ファスナー６７は、図１に示すように、テープ基材４５の着用者側の面に貼着されるため、前記実施形態のように、前記テープ基端部４１の着用者側の面４１ａに補強材４２を貼着したい場合には、図７（ｂ）に示すように、前記補強材６２を、前記面ファスナー６７が貼着された面と同一面に配すれば良い。
【００３９】
この補強材６２の貼着は、ホットメルト型接着剤等で行うことができるが、補強材６２およびテープ基材６５が共に熱融着繊維からなる不織布である場合には、熱融着によって行っても良い。
【００４０】
▲３▼切断工程
図７（ｃ）に示すように、面ファスナー６７および補強材６２が貼着された前記テープ基材６５を、前記長手方向へ連続する山谷からなる周期波曲線６６に沿って切断する。この時、前記周期波曲線は、山形状６６ａと谷形状６６ｂとが互いに前記幅中央の線６５ａに関する鏡像関係となるようにする。このようにすれば、前記上下に形成されるファスニングテープ４０の形状は、互いに、前記幅中央の線６５ａに関する鏡像形状となる。ここで、図７（ｃ）には、極一般的な周期波曲線６６を示しており、この周期波曲線６６は、山６６ａおよび谷６６ｂの形状がいずれも矩形となっていて、山の頂部６６ｃおよび谷の底部６６ｄの各隅角部は円弧状に面取りされている。
【００４１】
尚、前記周期波曲線６６は、この例示した曲線に限るものではなく、山形状６６ａと谷形状６６ｂとが、互いに前記幅中央の線６５ａに関する鏡像関係にあれば良い。例えば、単なるサインカーブであっても良いし、図８に示すように熊の横顔７６等といった動物形状にしても良い。尚、この動物形状にした場合には、これを用いた使い捨ておむつの美観を高め意匠的作用を奏することができるとともに、これを見た乳幼児の好奇心をそそりその感受性を高める効果もある。
【００４２】
尚、前述したような、摘み部４９先端にシート部材４８を貼着したファスニングテープ４０を製造したい場合には、図９に示すように、前記山の頂部６６ｃと谷の底部６６ｄとが、それぞれ前記補強材６２の部分に形成されるように切断すれば良い。
【００４３】
▲４▼分断工程
図７（ｄ）に示すように、前記テープ基材６５の上端縁６５ｃから前記山の頂部６６ｃへ向けて幅方向に切断する一方、下端縁６５ｄから前記谷の底部６６ｄへ向けて幅方向に切断することによりファスニングテープ４０を個々に分断する。
【００４４】
以上、本発明に係る実施形態について説明したが、本発明は、かかる実施形態に限定されるものではなく、その要旨を逸脱しない範囲で以下に示すような変形が可能である。
（ａ）本実施形態においては、前記テープ基端部４１のサイドフラップ１５側端部１５ａへの固着形態として、サイドフラップ１５におけるトップシート３とバックシート５との間に介装しつつ、少なくともいずれか一方のシート３，５に貼着する例を示したが、これに限るものではない。例えば、両シート３，５間に介装せずに、トップシート３若しくはバックシート５のいずれか一方のシートにのみ貼着させても良い。
（ｂ）本実施形態においては、サイドフラップ１５におけるトップシート３について格別詳細に説明していないが、このトップシート３は、後身頃１３のトップシート３を連続して側方へ延出形成したものであっても良いし、または、起立部を有し起立部から側方へ延出形成した立体ギャザーシートであっても良い。
（ｃ）本実施形態においては、ファスニングテープ４０の面ファスナー４７に雄材を用いたが、ターゲットテープ１９に面ファスナーの雄材を用いる場合には、逆に雌材を用いることは言うまでもない。
【００４５】
【発明の効果】
以上説明したように、本発明によれば、後身頃側端部に貼着されたファスニングテープ基端部の皺に起因した、おむつ装着時の不快感および漏れの誘発を抑えることができる使い捨ておむつ用ファスニングテープを提供することができる。
【図面の簡単な説明】
【図１】本発明に係る実施形態のファスニングテープの止着状態を拡大して示す図であって、図１（ａ）は、図１１中のIａ部の拡大図、図１（ｂ）は、図１（ａ）中のＢ−Ｂ線矢視の断面図である。
【図２】前記ファスニングテープのテープ基端部に皺が寄った様子を示す、図１（ａ）中の前記Ｂ−Ｂ線矢視の断面図である。
【図３】図１（ａ）中のIII−III線矢視の断面図である。
【図４】展開前たる使用前の従来のファスニングテープの状態を示す図であって、図４（ａ）はその拡大平面図、図４（ｂ）は、図４（ａ）中のＢ−Ｂ線矢視の断面図である。
【図５】展開後たる使用可能状態のファスニングテープを示す拡大平面図である。
【図６】本実施形態のファスニングテープの展開前たる使用前の状態を示す図であって、図６（ａ）はその拡大平面図、図６（ｂ）は、図６（ａ）中のＢ−Ｂ線矢視の断面図である。
【図７】本実施形態のファスニングテープの製造方法を説明するための概念図であって、図７（ａ）に面ファスナー貼着工程を、図７（ｂ）に補強材貼着工程を、図７（ｃ）に切断工程を、図７（ｄ）に分断工程をそれぞれ示す。
【図８】前記切断工程でのテープ基材の切断に供する周期波曲線の一例を示す図である。
【図９】前記切断工程でのテープ基材の切断に供する周期波曲線の一例を示す図である。
【図１０】展開型の使い捨ておむつを展開して示す一部破断平面図である。
【図１１】展開型の使い捨ておむつの着用状態を示す斜視図である。
【図１２】従来のファスニングテープの止着状態を拡大して示す図であって、図１２（ａ）は、図１１中のXIIａ部の拡大図、図１２（ｂ）は、図１２（ａ）中のＢ−Ｂ線矢視の断面図である。
【符号の説明】
１  おむつ本体
３  トップシート
５  バックシート
１１  前身頃
１２  股下部
１３  後身頃
１４  前身頃のサイドフラップ
１５  後身頃のサイドフラップ
１５ａ  サイドフラップ側端部（後身頃の左右側端部）
１９  ターゲットテープ
４０  ファスニングテープ
４１  テープ基端部
４２  補強材
４３  テープ先端部
４５  テープ基材
４７  面ファスナー、雄材
４８  シート部材
４９  摘み部
１００  着用者
【図１】
0004030783.tif 000002
【図２】
0004030783.tif 000003
【図３】
0004030783.tif 000004
【図４】
0004030783.tif 000005
【図５】
0004030783.tif 000006
【図６】
0004030783.tif 000007
【図７】
0004030783.tif 000008
【図８】
0004030783.tif 000009
【図９】
0004030783.tif 000010
【図１０】
0004030783.tif 000011
【図１１】
0004030783.tif 000012
【図１２】
0004030783.tif 000013